(57)【特許請求の範囲】
【請求項１】
内容物が収容される容器本体の口部に装着される装着キャップと、
前記容器本体内に連通して前記内容物を吐出する吐出口を有し、前記装着キャップに対して軸線回りに回転可能に組み付けられた吐出キャップと、
前記装着キャップの内側に固定された筒状の外歯と、
前記吐出キャップに固定されるとともに、前記外歯内に配設された内歯と、を備え、
前記装着キャップと前記吐出キャップとを相対的に軸線回りに回転させることにより、前記内容物を前記外歯と前記内歯との間で粉砕しながら送り出し、前記吐出口から吐出するミル付きキャップにおいて、
前記吐出キャップには、前記吐出キャップに螺着することで、前記吐出キャップとの間で前記内歯を軸線方向で挟持して固定する固定部材が着脱可能に設けられ、
前記外歯に対して軸線方向に沿う前記吐出口側とは反対側には、前記吐出キャップとの間で前記外歯を軸線方向に挟んで支持する外歯支持部材が配設され、
前記外歯支持部材は、前記装着キャップ内に離脱自在に係合され、
前記外歯支持部材には、外周縁から径方向の内方に向けて延在し、前記外歯支持部材を前記装着キャップから離脱させるように変形させるスリットが形成されていることを特徴とするミル付きキャップ。
【請求項２】
内容物が収容される容器本体の口部に装着される装着キャップと、
前記容器本体内に連通して前記内容物を吐出する吐出口を有し、前記装着キャップに対して軸線回りに回転可能に組み付けられた吐出キャップと、
前記装着キャップの内側に固定された筒状の外歯と、
前記吐出キャップに固定されるとともに、前記外歯内に配設された内歯と、を備え、
前記装着キャップと前記吐出キャップとを相対的に軸線回りに回転させることにより、前記内容物を前記外歯と前記内歯との間で粉砕しながら送り出し、前記吐出口から吐出するミル付きキャップにおいて、
前記吐出キャップには、前記吐出キャップに螺着することで、前記吐出キャップとの間で前記内歯を軸線方向で挟持して固定する固定部材が着脱可能に設けられ、
前記外歯に対して軸線方向に沿う前記吐出口側とは反対側には、前記吐出キャップとの間で前記外歯を軸線方向に挟んで支持する支持部、及び前記支持部の内側に位置するとともに前記固定部材が挿入される挿入筒部を有する外歯支持部材が配設され、
前記挿入筒部は、前記固定部材と前記内歯との間で軸線方向に挟持して固定されていることを特徴とするミル付きキャップ。
【請求項３】
前記固定部材は、前記吐出キャップに螺着されるねじ部と、
前記ねじ部の基端側に形成され、前記ねじ部に対して拡大された頭部と、を備えていることを特徴とする請求項１または請求項２記載のミル付きキャップ。
【発明の詳細な説明】
【技術分野】
【０００１】
本発明は、ミル付きキャップに関する。
【背景技術】
【０００２】
従来から、粒状の内容物が収容された容器本体に装着して、内容物を粉砕して粉状にして供給するためのミル付きキャップが知られている（例えば、特許文献１参照）。
【０００３】
具体的に、ミル付きキャップは、内容物が収容される容器本体の口部に装着される装着キャップと、容器本体内に連通して内容物を吐出する吐出口を有し、装着キャップに対して軸線回りに回転可能に組み付けられた吐出キャップと、装着キャップおよび吐出キャップのうち一方の内側に固定された筒状の外歯と、装着キャップおよび吐出キャップのうち他方に固定されるとともに、外歯内に配設された内歯と、を備えている。
このようなミル付きキャップを使用する際には、まず容器本体にミル付きキャップを装着した後、容器本体を上下反転することで、内容物の一部が自重により内歯と外歯との間に入り込む。この状態で、装着キャップと吐出キャップとを相対的に回転させることにより、内容物が外歯と内歯との間で粉砕されながら送り出され、粉状になった内容物が吐出口から吐出されるようになっている。
【先行技術文献】
【特許文献】
【０００４】
【特許文献１】特許第２９０６３３５号公報
【発明の概要】
【発明が解決しようとする課題】
【０００５】
しかしながら、上述した従来の技術では、内容物（目的）に応じた歯の交換作業や、歯の分解洗浄作業等のメンテナンス時において、歯の分解・組付作業が煩雑であった。
【０００６】
そこで、本発明は、上述した事情に鑑みてなされたものであって、その目的は、分解・組付作業の効率化を図り、メンテナンス性を向上させることができるミル付きキャップを提供することである。
【課題を解決するための手段】
【０００７】
上記課題を解決するために、本発明は以下の手段を提案している。
本発明に係るミル付きキャップは、内容物が収容される容器本体の口部に装着される装着キャップと、前記容器本体内に連通して前記内容物を吐出する吐出口を有し、前記装着キャップに対して軸線回りに回転可能に組み付けられた吐出キャップと、前記装着キャップの内側に固定された筒状の外歯と、前記吐出キャップに固定されるとともに、前記外歯内に配設された内歯と、を備え、前記装着キャップと前記吐出キャップとを相対的に軸線回りに回転させることにより、前記内容物を前記外歯と前記内歯との間で粉砕しながら送り出し、前記吐出口から吐出するミル付きキャップにおいて、前記吐出キャップには、前記吐出キャップに螺着することで、前記吐出キャップとの間で前記内歯を軸線方向で挟持して固定する固定部材が着脱可能に設けられ、前記外歯に対して軸線方向に沿う前記吐出口側とは反対側には、前記吐出キャップとの間で前記外歯を軸線方向に挟んで支持する外歯支持部材が配設され、前記外歯支持部材は、前記装着キャップ内に離脱自在に係合され、前記外歯支持部材には、外周縁から径方向の内方に向けて延在し、前記外歯支持部材を前記装着キャップから離脱させるように変形させるスリットが形成されていることを特徴とする。
【０００８】
このような特徴により、固定部材による螺着を解除するだけで、固定部材と吐出キャップとの間での内歯の挟持を解除することができるため、吐出キャップから内歯を簡単に取り外すことができる。これにより、内歯の交換作業や洗浄作業等における分解・組付作業を効率的に行うことができ、メンテナンス性を向上させることができる。
また、内歯を取り外すことで、外歯が開放されるため、外歯の洗浄作業も簡単に行うことができる。
また、外歯支持部材を取り外すだけで、外歯支持部材と吐出キャップとの間での外歯の支持を解除できるため、外歯を簡単に取り外すことができる。特に、外歯支持部材にスリットを形成したため、スリットを起点に外歯支持部材を装着キャップから離脱させるように変形させ易くすることができる。したがって、外歯支持部材をより簡単に取り外すことができ、外歯の交換作業や洗浄作業等における分解・組付作業を効率的に行うことができ、メンテナンス性を向上させることができる。
【０００９】
また、本発明のミル付きキャップにおいて、前記固定部材は、前記吐出キャップに螺着されるねじ部と、前記ねじ部の基端側に形成され、前記ねじ部に対して拡大された頭部と、を備えていてもよい。
【００１０】
この場合には、頭部を指等で摘んで固定部材を操作することで、固定部材をより簡単に取り外すことができる。これにより、メンテナンス性の更なる向上を図ることができる。
【００１２】
また、本発明のミル付きキャップにおいて、外歯支持部材は、外歯を支持する環状の支持部を備え、支持部には、軸線方向に沿う容器本体の内側に向けて突出する脚部が延設されていてもよい。
この場合には、脚部を摘んで操作することで外歯支持部材を変形させ易くすることができる。したがって、外歯支持部材をより簡単に取り外すことができ、外歯の交換作業や洗浄作業等における分解・組付作業を効率的に行うことができ、メンテナンス性をさらに向上させることができる。
【００１３】
また、本発明のミル付きキャップは、内容物が収容される容器本体の口部に装着される装着キャップと、前記容器本体内に連通して前記内容物を吐出する吐出口を有し、前記装着キャップに対して軸線回りに回転可能に組み付けられた吐出キャップと、前記装着キャップの内側に固定された筒状の外歯と、前記吐出キャップに固定されるとともに、前記外歯内に配設された内歯と、を備え、前記装着キャップと前記吐出キャップとを相対的に軸線回りに回転させることにより、前記内容物を前記外歯と前記内歯との間で粉砕しながら送り出し、前記吐出口から吐出するミル付きキャップにおいて、前記吐出キャップには、前記吐出キャップに螺着することで、前記吐出キャップとの間で前記内歯を軸線方向で挟持して固定する固定部材が着脱可能に設けられ、前記外歯に対して軸線方向に沿う前記吐出口側とは反対側には、前記吐出キャップとの間で前記外歯を軸線方向に挟んで支持する支持部、及び前記支持部の内側に位置するとともに前記固定部材が挿入される挿入筒部を有する外歯支持部材が配設され、前記挿入筒部は、前記固定部材と前記内歯との間で軸線方向に挟持して固定されていてもよい。
【００１４】
この場合には、上述したように固定部材と吐出キャップとの間で内歯を軸線方向に挟持するのに加え、固定部材と内歯との間で挿入筒部を軸線方向に挟持することで、外歯支持部材の支持部と吐出キャップとの間で外歯を軸線方向に挟持することができる。
すなわち、固定部材を着脱するだけで、外歯と内歯の双方が着脱可能となるため、メンテナンス性の更なる向上を図ることができる。
【発明の効果】
【００１５】
本発明に係るミル付きキャップによれば、分解・組付作業の効率化を図り、メンテナンス性を向上させることができる。
【図面の簡単な説明】
【００１６】
【図１】本発明の実施形態におけるミル付きキャップの断面図である。
【図２】外歯支持部材、及び固定部材の底面図である。
【図３】本発明の実施形態における他の構成を示すミル付きキャップの断面図である。
【図４】本発明の実施形態における他の構成を示す外歯支持部材、及び固定部材の底面図である。
【発明を実施するための形態】
【００１７】
以下、図面を参照し、本発明の実施形態に係るミル付きキャップを説明する。
図１に示すように、本実施形態に係るミル付きキャップ１は、例えば粒状の内容物が収容される容器本体２に装着されるものであって、容器本体２の口部３に装着される装着キャップ１１と、容器本体２内に連通して内容物を吐出する吐出口１２ａを有し、装着キャップ１１に対して軸線Ｏ回りに回転可能に組み付けられた吐出キャップ１２と、装着キャップ１１の内側に固定された筒状の外歯１３と、吐出キャップ１２に固定されるとともに、外歯１３内に配設された内歯１４と、を備えている。
なお、本実施形態では、ミル付きキャップ１、及び容器本体２の各中心軸線は、共通軸上に位置している。以下、この共通軸を軸線Ｏといい、軸線Ｏに沿う方向を上下方向、上下方向に沿ったミル付きキャップ１側を上側、容器本体２側を下側という。また、軸線Ｏに直交する方向を径方向といい、軸線Ｏ回りに周回する方向を周方向という。
【００１８】
装着キャップ１１は、上下方向に沿って延設された筒状に形成され、容器本体２の口部３に螺着された本体筒部２１と、本体筒部２１の外側を囲繞するように配置された外装筒部２２と、を備えている。
まず、外装筒部２２は、外径が容器本体２の胴部４と同等に形成されており、上端縁が本体筒部２１の下部に連設されるとともに、下端縁が本体筒部２１の下端縁よりも下方に位置している。すなわち、外装筒部２２は、ミル付きキャップ１を容器本体２に装着したときに、容器本体２の口部３に対して径方向の外側に配置され、胴部４とともに外装面を構成している。
【００１９】
本体筒部２１は、容器本体２の口部３に着脱可能に螺着された下筒部２３と、下筒部２３の上側に位置して下筒部２３よりも小径に形成された上筒部２４と、を備えている。
【００２０】
上筒部２４は、内径が容器本体２の口部３の外径よりも小さく形成されている。上筒部２４の上下方向において、下端部の内面には径方向の外側に向けて窪んだ係合凹部２５が形成される一方、中間部分の外面には径方向の外側に向けて突出する係合凸部２６が形成されている。
また、上筒部２４には、径方向の外側に向けて窪んだ溝部２７が周方向に間隔をあけて複数形成されている。これら溝部２７は、係合凹部２５を除く上筒部２４における上下方向の全長に亘って形成されている。
【００２１】
外歯１３は、下方から上方に向かって漸次拡径された筒状に形成され、その内周面（歯面１３ａ）に歯形を有している。外歯１３には、径方向の外側に向かって突出するリブ３１が周方向に間隔をあけて複数形成されている。これらリブ３１は、それぞれ上述した上筒部２４の溝部２７内に各別に収容され、これにより上筒部２４（装着キャップ１１）に対する外歯１３の周方向への移動（回転）が規制されている。なお、溝部２７に限らず、外歯１３のリブ３１を周方向の両側から挟み込む一対のリブを上筒部２４に形成しても構わない。
【００２２】
また、外歯１３は、外歯支持部材３２によって吐出キャップ１２との間で上下方向に挟持されている。図１，２に示すように、外歯支持部材３２は、外歯１３の下端縁を支持する環状の支持部３４と、支持部３４の内周縁から下方に沿って延設された挿入筒部３３と、挿入筒部３３の下端部から下方に向けて突出する複数の脚部３５と、を備えている。
挿入筒部３３は、上述した下筒部２３の内側に径方向に間隔をあけて配置されており、ミル付きキャップ１を容器本体２に装着したときに、容器本体２の口部３内に挿入される。すなわち、挿入筒部３３と下筒部２３との間に口部３が配置されている。
【００２３】
支持部３４は、外周縁が上述した上筒部２４の係合凹部２５に離脱自在にアンダーカット嵌合された状態で、その上面が外歯１３の下端縁に当接している。これにより、支持部３４は、吐出キャップ１２の後述する連結環４１との間で外歯１３を上下方向で挟持している。また、支持部３４には、外周縁から径方向の内方に向けて延在する複数のスリット３６が周方向に沿って間隔をあけて形成されている。これにより、外歯支持部材３２は、スリット３６を起点にして装着キャップ１１から離脱するように変形可能に構成されている。なお、本実施形態のスリット３６は、周方向に沿う９０度ごとに等間隔に形成されている。
【００２４】
さらに、支持部３４には、下方に向けて突出する台座部３７が周方向に沿うスリット３６を除く全域に亘って形成されている。台座部３７は、上方から下方に向かうに従い漸次先細る断面視台形状に形成されており、下端縁が径方向に沿う平坦面に形成されている。そして、台座部３７の下端縁は口部３の上端縁に当接している。
【００２５】
脚部３５は、上述した挿入筒部３３における周方向の一部が挿入筒部３３と同等の曲率半径で下方に向けて延設された板状の部材であり、容器本体２の口部３内に配置されている。また、脚部３５は、周方向に沿って間隔をあけて複数形成されている。なお、本実施形態の脚部３５は、上述した各スリット３６間に配置されるとともに、周方向に沿う９０度ごとに等間隔に形成されている。すなわち、本実施形態では、脚部３５とスリット３６とが周方向に沿って互い違いに配設されている。
【００２６】
図１に示すように、吐出キャップ１２は、上下方向に沿って延設された筒状の部材であり、装着キャップ１１の上筒部２４に装着される装着筒４２と、装着筒４２の上側で上方に向けて立設された吐出筒４３と、装着筒４２の上端縁、及び吐出筒４３の下端部を連結する連結環４１と、吐出筒４３の内側に配置されて内歯１４を支持する内歯支持部材４４と、を備えている。また、前記吐出筒４３には、吐出口１２ａが形成されている。
【００２７】
装着筒４２には、上下方向の中央部の内面に径方向の外側に窪んだ係合凹部４７が形成されており、上述した上筒部２４の係合凸部２６にアンダーカット嵌合されている。そして、装着筒４２は、本体筒部２１に対して軸線Ｏ回りに回転可能に装着されている。この場合、装着筒４２の下端部は、外装筒部２２に近接する位置まで延び、下筒部２３の上端部を径方向の外側から囲繞している。
【００２８】
連結環４１は、装着筒４２の上端縁から径方向の内側に向けて張り出しており、装着キャップ１１の上筒部２４、及び外歯１３との間に上下方向に間隔をあけて配置されている。また、連結環４１の外周側には、下方に向けて突出する突起部４５が周方向の全周に亘って形成され、この突起部４５の下端部が装着キャップ１１における上筒部２４の上端縁に当接している。さらに、連結環４１の内周側には下方に向けて突出する突起部４６が周方向の全周に亘って形成され、この突起部４６が外歯１３の上端縁に当接している。
【００２９】
吐出筒４３は、装着筒４２に比べて小径に形成されるとともに、連結環４１の内周縁から上方に向けて立設されている。吐出筒４３の上端開口部は、ミル付きキャップ１を容器本体２に装着したときに、容器本体２内に連通して、容器本体２内の内容物を吐出するための吐出口１２ａを構成している。なお、吐出筒４３には、吐出口１２ａを開閉可能とする図示しないオーバーキャップがアンダーカット嵌合されるようになっている。
【００３０】
内歯支持部材４４は、ベース部５１と、ベース部５１の外周側から下方に向けて延設された外筒５２と、外筒５２の内側に配置された内筒５３と、を備えている。
ベース部５１は、上面が吐出筒４３の上端面と面一に配置されたリング状の部材であり、その外周縁と吐出筒４３の内周縁とがブリッジ部５４により架け渡されている。ブリッジ部５４は、吐出筒４３とベース部５１との間を径方向に沿って延びる板状に形成され、周方向に沿って間隔をあけて複数形成されている。
また、外筒５２は、ベース部５１の外周側から下方に向けて延設されており、上述した吐出筒４３と同等の高さに形成されている。
【００３１】
内筒５３は、ベース部５１の内周縁から下方に向けて延設され、上述した外筒５２よりも長く形成されている。内筒５３の下端部には、下方に向けて延びる螺着筒５５が形成されている。この螺着筒５５は、内筒５３の上端部に比べて小径に形成されるとともに、内面に雌ねじ部５６が形成されている。
また、内筒５３の外面には、径方向に沿って突出するリブ５７が周方向に沿って間隔をあけて複数形成されている。これらリブ５７は、上端部がベース部５１に連設される一方、下端部が螺着筒５５と内筒５３との境界部分まで形成されている。
【００３２】
内歯１４は、上方から下方に向かって漸次縮径された筒状に形成され、その内側に上述した内歯支持部材４４の内筒５３が挿入されている。また、内歯１４の外周面（歯面１４ａ）には、上述した外歯１３の歯面１３ａに対向して歯形が形成されている。この場合、内歯１４、及び外歯１３の両歯面１４ａ，１３ａ間は、内容物を破砕しながら吐出口１２ａへと送り出す破砕通路Ｒを構成している。この破砕通路Ｒは、下方から上方に向かうに従い径方向の間隔が漸次縮小するように形成されている。
【００３３】
内歯１４には、内周面から径方向の外側に向かって窪んだ溝部６１が周方向に間隔をあけて複数形成されている。これら溝部６１は、その内側に内筒５３のリブ５７が収容されており、これにより内筒５３（吐出キャップ１２）に対する内歯１４の周方向への移動（回転）が規制されている。なお、溝部６１に限らず、内筒５３のリブ５７を周方向の両側から挟み込む一対のリブを内歯１４に形成しても構わない。
【００３４】
また、内歯１４の上端面における外周縁には、上方に向けて突出する突条部６２が形成されている。この突条部６２は、上述した外筒５２の下端部を囲繞するように形成され、内筒５３（吐出キャップ１２）に対する内歯１４の径方向への移動を規制している。
さらに、内歯１４の下端縁には、径方向の内側に向けて張り出す内フランジ部６３が形成され、この内フランジ部６３が固定部材６５によって支持されている。
【００３５】
ここで、固定部材６５は、内歯支持部材４４との間で内歯１４を上下方向で挟持して固定するものであって、頭部６６と、頭部６６の上端部から上方に向けて立設されたねじ部６７と、を有している。
ねじ部６７は、上述した螺着筒５５の雌ねじ部５６に下方から着脱可能に螺着されている。
頭部６６は、ねじ部６７に対して拡大された平面視多角形状（本実施形態では八角形）に形成されており、その外径が螺着筒５５よりも大径に形成されている。頭部６６の上端縁は、上述した内歯１４の内フランジ部６３に当接しており、内歯支持部材４４との間で内歯１４を上下方向で挟持して固定している（内歯１４の上下方向への移動を規制している）。
【００３６】
次に、上述したミル付きキャップ１の使用方法について説明する。
まず、ミル付きキャップ１を容器本体２に装着するには、外歯支持部材３２の挿入筒部３３、及び脚部３５を口部３内に挿入するとともに、装着キャップ１１の本体筒部２１を口部３に螺着する。
【００３７】
そして、ミル付きキャップ１が装着された容器本体２から内容物を供給するためには、まず容器本体２を上下反転して、ミル付きキャップ１を下方に向ける。すると、容器本体２内の内容物が自重により落下し、その一部が外歯１３と内歯１４との間の破砕通路Ｒ内に入り込む。この状態で吐出キャップ１２と装着キャップ１１とを相対的に回転させると、内歯１４と外歯１３とが相対的に回転することで、破砕通路Ｒ内の内容物が両歯１３，１４の歯形によって破砕されながら、破砕通路Ｒを下流側に向けて送り出される。そして、破砕された内容物は、粉状になって破砕通路Ｒの出口（外歯１３、及び内歯１４の上端縁同士の間）から排出され、その後吐出筒４３を通って吐出口１２ａから外部に吐出される。
【００３８】
ここで、歯１３，１４の交換時や、歯１３，１４の洗浄時等において、歯１３，１４を分解・組付する方法について説明する。
まず、容器本体２に対して装着キャップ１１を回転させ、ミル付きキャップ１を容器本体２から取り外す。
【００３９】
次に、装着キャップ１１から外歯支持部材３２を取り外す。具体的に、複数の脚部３５のうち径方向で対向する脚部３５を摘み、これら脚部３５をそれぞれ径方向の内側に向けて接近させる。すると、外歯支持部材３２（支持部３４）のうち、摘んだ脚部３５それぞれの周方向両側に配設されたスリット３６間に位置する部分が、下方に向けて湾曲するように変形する。すなわち、支持部３４が上方に向けて凸に湾曲するように変形することで、外歯支持部材３２の支持部３４と、装着キャップ１１の係合凹部２５と、のアンダーカット嵌合が解除される。その後、外歯支持部材３２を下方に引き抜くことで、装着キャップ１１から外歯支持部材３２が離脱する。これにより、外歯支持部材３２と吐出キャップ１２の連結環４１との間における外歯１３の挟持が解除される。
その後、装着キャップ１１の本体筒部２１から外歯１３を引き抜くことで、外歯１３を取り外すことができる。
【００４０】
次に、固定部材６５の頭部６６を摘み、固定部材６５を螺着筒５５に対して回転させ、螺着筒５５から固定部材６５を取り外す。これにより、固定部材６５の頭部６６と内歯支持部材４４とによる内歯１４の挟持が解除される。その後、内筒５３から内歯１４を引き抜くことで、内歯支持部材４４から内歯１４を取り外すことができる。
そして、取り外した歯１３，１４を交換・洗浄した後、再び歯１３，１４を組み付ける場合には、上述した操作を上述した順序と逆の順序で行えばよい。
【００４１】
このように、本実施形態では、吐出キャップ１２の螺着筒５５に着脱可能に螺着することで、吐出キャップ１２との間で内歯１４を上下方向で挟持して固定する固定部材６５を備える構成とした。
この構成によれば、固定部材６５による螺着を解除するだけで、固定部材６５と内歯支持部材４４との間での内歯１４の挟持を解除することができるため、内歯支持部材４４から内歯１４を簡単に取り外すことができる。
また、本実施形態では、外歯支持部材３２を取り外すだけで、外歯支持部材３２と吐出キャップ１２との間での外歯１３の挟持を解除できるため、外歯１３を簡単に取り外すことができる。この場合、外歯支持部材３２に脚部３５を設けているため、脚部３５を摘んで装着キャップ１１から外歯支持部材３２を簡単に取り外すことができる。
さらに、本実施形態では、外歯支持部材３２の支持部３４にスリット３６を形成したため、スリット３６を起点に外歯支持部材３２を装着キャップ１１から離脱させるように変形させ易くすることができる。また、スリット３６、及び脚部３５を周方向で互い違いに配設することで、挿入筒部３３をより変形させ易くすることができる。したがって、外歯支持部材３２をより簡単に取り外すことができる。
このように、着脱可能に設けられた固定部材６５、及び外歯支持部材３２を取り外すだけで、歯１３，１４を取り外すことができるので、歯１３，１４の交換作業や洗浄作業等における分解・組付作業を効率的に行うことができ、メンテナンス性を向上させることができる。
【００４２】
また、固定部材６５にねじ部６７に対して拡大された頭部６６を形成したため、この頭部６６を指等で摘んで固定部材６５を操作することで、固定部材６５をより簡単に取り外すことができる。これにより、メンテナンス性の更なる向上を図ることができる。
【００４３】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、固定部材６５の頭部６６を八角形状に形成したが、これに限らず、円形や、その他の多角形状に形成しても構わない。
また、脚部３５やスリット３６の数や幅等は、適宜設計変更が可能である。例えば、径方向のうち、一方向で対向する一対の脚部３５と、一方向に直交する他方向で対向するスリット３６と、を形成しても構わない。
また、容器本体２内に収容する内容物の種類は適宜変更が可能である。
さらに、固定部材６５は、吐出キャップ１２（螺着筒５５）に着脱可能に螺着される構成であれば、頭部６６は設けなくても構わない。
【００４４】
なお、上述した実施形態では、外歯１３、及び内歯１４の双方を交換・組付する場合について説明したが、少なくとも内歯１４を取り外せれば構わない。すなわち、少なくとも内歯１４を取り外すことで、外歯１３が開放されるため、外歯１３の洗浄作業も簡単に行うことができる。
【００４５】
さらに、上述した実施形態では、内歯１４と外歯１３をそれぞれ別々に固定する場合について説明したが、これに限らず、図３，４に示すように内歯１４と外歯１３とを固定部材６５により共締めするような構成にしても構わない。
具体的に、外歯支持部材３２は、外歯１３の下端縁を支持する環状の支持部１０１と、支持部１０１の内側で固定部材６５が挿入される挿入筒部１０２と、支持部１０１、及び挿入筒部１０２間を掛け渡すブリッジ部１０３と、を備えている。
支持部１０１には、上方に向けて突出する台座部１１０（図３参照）が形成され、この台座部１１０の上端縁に外歯１３の下端縁が当接している。また、支持部１０１には、下方に向けて突出する突起部１１１が周方向の全周に亘って形成され、容器本体２における口部３の上端縁に当接している。さらに、支持部１０１の外周面には、径方向の外側に向けて突出する回り止め部１１２が形成され、装着キャップ１１の本体筒部２１に形成された収容部１１３に下方から収容されている。
【００４６】
一方、固定部材６５は、螺着筒５５に螺着されるねじ部６７と、ねじ部６７の下端部に形成され、ねじ部６７に対して拡大された頭部６６と、を備えていても構わない。
頭部６６は、上述した支持部１０１における挿入筒部１０２に挿入される小径部１２１（図３参照）と、小径部１２１の下端部から下方に向けて延設され、小径部１２１よりも大径の大径部１２２と、大径部１２２の下端縁から径方向の外側に向けて突出する一対の操作片１２３と、を備えている。操作片１２３は、径方向の内側から外側に向かうに従い周方向における幅が漸次拡大する扇形形状に形成され、径方向で対向するように配設されている。
【００４７】
この場合、小径部１２１の上端縁と吐出キャップ１２との間で内歯１４が上下方向で挟持されるとともに、大径部１２２の上端縁と内歯１４の下端縁との間で挿入筒部１０２が上下方向で挟持されることで、外歯支持部材３２の支持部１０１と吐出キャップ１２の連結環４１との間で外歯１３が上下方向で挟持されている。
この構成によれば、固定部材６５を着脱するだけで、外歯１３と内歯１４の双方が着脱可能となるため、メンテナンス性の更なる向上を図ることができる。
また、内容物に応じて、種類の異なる内歯１４、外歯１３、に交換することが容易となり、利便性、製造性に優れる。
【００４８】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４９】
２…容器本体  ３…口部  １１…装着キャップ  １２…吐出口  １２…吐出キャップ  １３…外歯  １４…内歯  ６５…固定部材  ６６…頭部  ６７…ねじ部
【図１】
0005759809.tif 000002
【図２】
0005759809.tif 000003
【図３】
0005759809.tif 000004
【図４】
0005759809.tif 000005